(57)【特許請求の範囲】
【請求項１】
脚の上端に設けたベースと、前記ベースの上方に配置した座部と、前記ベースに後傾動自在に連結された背支持装置及びこれに設けた背もたれとを有しており、前記座部の下面には、フロントリンクを介して前記ベースに連結された前連結部と、前記背支持装置のうち回動支点よりも手前及び上方の部位に連結された後ろ連結部とを設けており、
前記背支持装置が後傾動すると前記フロントリンクが回動して座部が上昇し、かつ、前記前連結部と後ろ連結部とを下向きに突出した形態とすることにより、前記座部とベースとの間に人が指を挿入しても挟むことがない空間を空けている構成であって、
前記前連結部を前記ベースの前端よりも手前に位置させて、前記ベースと前連結部とを前記フロントリンクに連結しており、前記座部とフロントリンクとの間にも人が指を挿入しても挟むことがない空間を空けている一方、
前記座部は下降し切った状態で前記後ろ連結部の箇所において前記ベースで支持されており、前記後ろ連結部の後ろ側において前記座部と背支持装置及びベースとの間にも、人が指を挿入しても挟むことがない空間を空けている、
ロッキング椅子。
【請求項２】
前記ベースは、その先端に前壁を有する上向き開口の箱形になっており、このベースの前部に前記フロントリンクが回動自在に嵌まる左右横長の軸を配置している一方、前記フロントリンクには、前記ベースの前板が嵌まる空所を形成しており、前記空所の前内面と前記ベースの前壁とで形成される空間を、人の指を挿入しても余裕がある大きさとし、かつ、前記ベースにおける前壁の上端に前向きフランジを形成している、
請求項１に記載したロッキング椅子。
【請求項３】
前記ベースの後ろ連結部と背支持装置とはリアピンで連結されており、前記ベースに前記リアピンの受け部を有する上カバーが装着されており、前記上カバーには前記リア係合ピンを囲う上向き壁が形成されている一方、前記座部の下面には、前記上カバーを外側から囲う下向き突壁が形成されており、前記上向き壁と下向き突壁との間には、人が指を挿入できない狭い間隔の隙間しか空いていない、
請求項１又は２に記載したロッキング椅子。
【発明の詳細な説明】
【技術分野】
【０００１】
本願発明は、ロッキングに際して座が昇降及び前後動する椅子に関するものである。
【背景技術】
【０００２】
ロッキング椅子は背もたれの後傾動をばねやゴム等の弾性手段で支持しており、一般に、ロッキングに伴うモーメントはそのまま弾性手段に作用するようになっており、このため、弾性手段としてはかなりの大きさのコイルスプリングやガススプリングなどを使用していることが多い。
【０００３】
しかし、これでは弾性手段のコストが嵩むのみならず、弾性手段を収納する部材（一般に、脚の上端に設けたベース）が大型化するという問題がある。これに対して、特許文献１には、平行リンク機構に類したリンク機構により、背もたれが後傾動すると座が上昇及び後退動する椅子が開示されている。
【０００４】
すなわち、特許文献１では、座の前部とベースとを、側面視前傾姿勢（正確には鉛直線に対して前傾した姿勢）のフロントリンクにピンで連結する一方、背もたれが取付けられた背フレームと座とを、ベースに対する背フレームの連結箇所よりも手前の部位においてピンで連結しており、背フレームの前部とフロントリンクとが平行リンク機構に類した機構になっている。特許文献１では弾性手段としてコイルスプリングを使用しており、コイルスプリングは背フレームの回動支点よりも後ろ側に配置している。
【０００５】
特許文献１の構成によると、ロッキング時にも着座者の体重の一部が背もたれを戻そうと作用しているため、ロッキング時に弾性体に作用する力は僅かであり、このため、コイルスプリングを小型化してコストダウンやベース部のコンパクト化に貢献できると言える。更に述べると、ロッキングに際して背もたれに作用するモーメントは一般に着座者の体重に比例するが、ロッキング時に座を押し下げようと作用する荷重も体重に比例するため、特許文献１では、着座者の体重が軽重相違しても、１種類の弾性手段で同じ程度のロッキングフィーリングを得ることができる。
【先行技術文献】
【特許文献】
【０００６】
【特許文献１】米国特許第６７０９０５８号明細書
【発明の概要】
【発明が解決しようとする課題】
【０００７】
さて、ロッキングに際して座部が上昇する椅子では、仮に人が指を座部や下方に差し入れた場合であっても、背もたれの戻り回動に際して座部とベースとで指を挟まないように安全を確保する必要がある。しかし、特許文献１ではかかる安全確保の配慮は見受けられない。
【０００８】
本願発明はこのような現状に鑑み成されたもので、ロッキングに際して座部が昇降する椅子を、人が指を挟むことがない安全な態様で提供せんとするものである。
【課題を解決するための手段】
【０００９】
本願発明に係る椅子は、  脚の上端に設けたベースと、前記ベースの上方に配置した座部と、前記ベースに後傾動自在に連結された背支持装置及びこれに設けた背もたれとを有しており、前記座部の下面には、フロントリンクを介して前記ベースに連結された前連結部と、前記背支持装置のうち回動支点よりも手前及び上方の部位に連結された後ろ連結部とを設けており、前記背支持装置が後傾動すると前記フロントリンクが回動して座部が上昇し、かつ、前記前連結部と後ろ連結部とを下向きに突出した形態とすることにより、前記座部とベースとの間に人が指を挿入しても挟むことがない空間を空けている構成であって、
前記前連結部を前記ベースの前端よりも手前に位置させて、前記ベースと前連結部とを前記フロントリンクに連結しており、前記座部とフロントリンクとの間にも人が指を挿入しても挟むことがない空間を空けている一方、前記座部は下降し切った状態で前記後ろ連結部の箇所において前記ベースで支持されており、前記後ろ連結部の後ろ側において前記座部と背支持装置及びベースとの間にも、人が指を挿入しても挟むことがない空間を空けている。
【００１０】
請求項２の発明では、請求項１において、前記ベースは、その先端に前壁を有する上向き開口の箱形になっており、このベースの前部に前記フロントリンクが回動自在に嵌まる左右横長の軸を配置している一方、前記フロントリンクには、前記ベースの前板が嵌まる空所を形成しており、前記空所の前内面と前記ベースの前壁とで形成される空間を、人の指を挿入しても余裕がある大きさとし、かつ、前記ベースにおける前壁の上端に前向きフランジを形成している。
【００１１】
請求項３の発明では、請求項１又は２において、前記ベースの後ろ連結部と背支持装置とはリアピンで連結されており、前記ベースに前記リアピンの受け部を有する上カバーが装着されており、前記上カバーには前記リア係合ピンを囲う上向き壁が形成されている一方、前記座部の下面には、前記上カバーを外側から囲う下向き突壁が形成されており、前記上向き壁と下向き突壁との間には、人が指を挿入できない狭い間隔の隙間しか空いていない。
【発明の効果】
【００１２】
本願発明では、前連結部と後ろ連結部とを下向きに突出した形態とすることにより、座部とベースとの間に人が指を差し込んでも十分な余裕がある空間を空けているため、ロッキングに際して座を上昇させることで弾性手段の小型化等を図ることができる椅子において、座部とベースとで指を挟むことを防止して安全性を確保できる。
【００１３】
なお、指挟み防止手段しては、座部とベースとの間に手や指を挿入できないように大きなカバーで覆うことも考えられるが、これではコストが嵩むのみならず、カバーが大きく目立って美感も良くない可能性がある。これに対して本願発明は、連結構造を工夫することで指挟みを防止できるため、大きなカバーを不要にしてコストアップを抑制できると共に、スッキリとした外観を実現できて美感も向上させ得る。
【００１４】
ロッキングに際してフロントリンクが回動するため、フロントリンクとベースとで指を挟むことも防止せねばならない。この点、請求項２の構成を採用すると、仮に人が指をベースの前面部に差し込んでも、ベースとフロントリンクとの間には指よりも大きな空間があるためベースの前面とフロントリンクとで指を挟むことはなく、かつ、ベースにおける前板の上面に指先を差し込もうとしてもこれはベースの前向きフランジで阻止されるため、ベースの前板の上端面とフロントリンクとで指を挟むこともない。なお、フロントリンクと座部との間での指挟み防止は実施形態に記載した手段で対応できる。
【００１５】
ロッキングに際して後ろ連結部は上下動しつつ前後動するため、後ろ連結部の箇所での指挟み防止も考慮せねばならない。この点、請求項３の構成を採用すると、座部の後ろ連結部と背支持装置の前端部との連結箇所は、ロッキングの前後において上カバーの上向き突壁と座部の下向き突壁とでカバーされているため、安全性を確保できる。
【図面の簡単な説明】
【００１６】
【図１】（Ａ）は実施形態に係る椅子の部分斜視図、（Ｂ）は側面視図である。
【図２】分離斜視図である。
【図３】分離斜視図である。
【図４】下方から見た分離図である。
【図５】分離斜視図である。
【図６】（Ａ）は弾力調節機構の部分的な分離斜視図、（Ｂ）はバックフレームの取付け構造を示すための分離斜視図である。
【図７】側断面図である。
【図８】（Ａ）は要部の分離背面図、（Ｂ）は座受け体の部分斜視図である。
【図９】分離側面図である。。
【図１０】（Ａ）は上カバーの斜視図、（Ｂ）は上カバーとベースとの分離斜視図である。
【図１１】リア連結部の周辺を下方から見た斜視図である。
【図１２】ストッパーの装着態様を説明するための図で、（Ａ）は分離斜視図、（Ｂ）は分離平面図である。
【図１３】ストッパーの装着態様を説明するための図で、（Ａ）は破断した状態での分離斜視図、（Ｂ）は側断面図である。
【図１４】（Ａ）は図７の部分拡大図、（Ｂ）はフロントリンクを裏返した状態ての斜視図である。
【図１５】（Ａ）（Ｂ）ともフロントリンクの破断斜視図である。
【図１６】（Ａ）はフロントリンクと座受け体との嵌め合いを示すための断面図、（Ｂ）はフロントリンクと座受け体とを嵌め合わせた状態での断面図である。
【図１７】（Ａ）はフロントリンクと座受け体との分離斜視図、（Ｂ）はフロントリンクとベースとの分離斜視図である。
【発明を実施するための形態】
【００１７】
次に、本願発明の実施形態を図面に基づいて説明する。本実施形態は、事務用等に使用される回転椅子に適用している。以下の説明及び請求項で方向を特定するため「前後」「左右」の文言を使用しているが、この文言は、椅子に普通の姿勢で着座した人が向いた方向を前として定義している。正面視は、着座者と相対向した方向から見たものである。
【００１８】
(1).椅子の概要
図１に示すように、椅子は、脚支柱（ガスシリンダ）１のみを表示した脚装置、脚支柱１の上端に固定したベース２、ベース２の上方に配置した座体３、着座した人がもたれ掛かり得る背もたれ４を有している。なお、ベース２にはオプション品として肘掛け装置を取り付けることができる。
【００１９】
図２から理解できるように、座体３は、合成樹脂製の座板（座インナーシェル）５とその上面に重ね配置したクッション材６とを有しており、クッション材６にはクロス等の表皮材が張られている。また、座板５は、合成樹脂製の座受け体（座アウターシェル）７に前後移動調節可能に取り付けられている。従って、本実施形態では、座体３と座受け体７とで座部８が構成されている。
【００２０】
図２に示すように、背もたれ４は合成樹脂製のバックフレーム１０とその前面に固定した合成樹脂製の背板１１とを備えている。背板１１は横長の穴が多段に空いた横縞状に形態になっており、これにメッシュ等の表皮材１２が張られている。背板１１の前面にクッション材を配置することもある。この場合は、クッション材は袋状の表皮材で覆われる。バックフレーム１０は、上下長手の左右サイドフレーム１３と、その上端を繋ぐアッパーフレーム１４と、左右サイドフレーム１３の下端を繋ぐロアフレーム１４とを有しており、左右サイドフレーム１３とアッパーフレーム１４とに背板１１が固定されている。
【００２１】
バックフレーム１０はサイドフレーム１３から一連に延びる左右の前向きアーム部１６を有しており、左右の前向きアーム部１６には、上板１７ａと左右側板１７ｂとを有するジョイント部１７が一体に繋がっている。ベース２の後部には、金属板製の揺動部材１８が左右長手の第１軸１９によって傾動自在に連結されており、揺動部材１８にバックフレーム１０のジョイント部１７がビスで固定されている。
【００２２】
従って、本実形態では、揺動部材１８及びバックフレーム１０の前向きアーム部１６とジョイント部１７とにより、請求項に記載した背支持装置が構成されており、背もたれ４は第１軸１９を中心にして傾動する。バックフレーム１０の左右前向きアーム部１６はジョイント部１７で一体に連結されているため、左右前向きアーム部１８の剛性は格段に高くなっている。
【００２３】
揺動部材１８には、側面視傾斜姿勢で前方及び上方に延びるサポートアーム１８ａが一体に設けられており、左右サポートアーム１８ａの先端に、請求項に記載したリアピンの一例としてのリア係合ピン２０を挿通している。そして、例えば図５や図８（Ｂ）に示すように、座受け体７の下面には、リア係合ピン２０に後ろから引っ掛かり嵌合する左右一対のリア係合爪２１が一体成形されている。このため、背もたれ４が後傾すると、座受け体７及び座体３は後ろに引っ張られる。
【００２４】
他方、例えば図５に示すように、ベース２は金属板製であって、左右の側板２ａを有する上向き開口の箱状の形態を成しており、その前部に左右横長の第２軸２２を取り付けて、この第２軸２２に単一構造のフロントリンク２３を回動自在に連結し、かつ、フロントリンク２３の上端は、座受け体７に形成した上雌形嵌合部２４に回動可能に嵌入している。従って、着座した人が背もたれ４に凭れ掛かると、揺動部材１８で座受け体７が後ろに引っ張られ、これに伴ってフロントリンク２３が回動して座部８は上昇しながら後退する。
【００２５】
図５や図１０（Ａ）に示すように、ベース２には上から上カバー２５が装着されており、リア係合ピン２０は上カバー２５で支持されている。また、ベース２は下方から下カバー２６で覆われている。ベース２の後部には、回転式レバー装置２７と背面カバー２８とを有する制御ユニット２９が配置されている。この制御ユニット２９により、ロッキングに対する抵抗の切り換えと、ロッキング可能状態とロッキング不能状態との切り換えが行われる。
【００２６】
(2).ベース２と揺動部材１８とバックフレーム１０との関係
以下、各部の詳細を説明する。まず、ベース２と揺動部材１８とバックフレーム１０との関係を説明する。既述のとおりベース２は上向きに開口した箱型の形態であり、例えば図５及び図７に示すように、ベース２の内部のうち略中央部に側断面下向き開口コの字型の第１インナーブラケット３１を溶接しており、このインナーブラケット３１とベース２の底板とにブッシュ３２を固着し、このブッシュ３２に脚支柱１を下方から嵌着している。
【００２７】
第１インナーブラケット３１には上向き開口コの字形の第２インナーブラケット３３が固着されており、両インナーブラケット３１，３３で囲われた空間に肘掛け装置の基端部が横方向から挿入されるようになっている。図５に示すように、ベース２の側板２ａには肘掛け装置の基端部を挿入する穴が空いており、また、第２インナーブラケット３３の左右両端部はベース２の外側に露出していてその先端に下向き片３３ａを形成しており、下向き片３３ａに肘掛け装置の基端部がビスで締結される。
【００２８】
下カバー２６の側板２６ａには肘掛け装置の基端部が嵌まる穴３４が空いており、この穴３４は着脱自在な蓋板３５で塞がれている。また、下カバー２６における側板２６ａの前部には、第２軸２２を抱持する挟持溝穴３６が形成されている。挟持溝穴３６は、その上端部をくびれさせており、このため下カバー２６は、弾性に抗して変形させることによって第２軸２２に嵌まり込む。
【００２９】
揺動部材１８は上板と左右側板１８ｂとを有する基本形態であり、左右側板１８ｂでベース２を外側から囲い、ベース２の左右側板２ａと揺動部材１８の左右側板１８ｂとに第１軸１９が貫通している。第１軸１９はブッシュを介してベース２に取り付けている。揺動部材１８のサポートアーム１８ａは側板１８ｂから延びている。
【００３０】
揺動部材１８における左右側板の後部には、左右長手の第３軸３７が挿通している。他方、例えば図４に示すように、バックフレーム１０の前向きアーム部１６はある程度の左右巾を有する厚肉状になっており、左右前向きアーム部１６の先端には第１軸１９に嵌入する前向き開口溝３８が形成されており、更に、前向き開口溝３８よりも後ろの部位には、第３軸３７の先端部に上方から嵌まる下向き開口溝３９が形成されている。
【００３１】
両開口溝３８，３９は左右外側には開口しておらず、従って、第１軸１９と第２軸２２とは前向きアーム部１６によって左右抜け不能に保持されている。このため、第１軸１９及び第２軸２２にはスナップリングのような抜け止め手段は必要ない。
【００３２】
図６（Ｂ）から容易に理解できるように、バックフレーム１０のジョイント部１７は揺動部材１８に上から重なっており、更に、揺動部材１８の下面には樹脂製の押圧部材４１が重なっている。そして、ジョイント部１７の上面板１７ａと揺動部材１８の上面板とに貫通したビス４０を押圧部材４１にねじ込むことにより、三者を共締めしている。これにより、バックフレーム１０と揺動部材１８とは一体に回動する。
【００３３】
図６（Ａ）に示すように、押圧部材４１とベース２との間には、弾性体の一例としての左右一対の固定式ゴム４４が介在しており、固定式ゴム４４はベース２に取り付けた受け部材４５に装着されている。非着座状態でも、固定式ゴム４４は押圧部材４１で圧縮されている。すなわち、固定式ゴム４４にはプリテンションが掛かっている。
【００３４】
既述のとおり（図３参照）、制御ユニット２９は、回転式レバー装置２７とこれが取り付いた背面カバー２８とで構成されている。背面カバー２８は左右の側板２８ａを有しており、左右の側板２８ａに、背面カバー２８を第３軸３７に取り付けるための挟持部２８ｂが前向き開口している。図５に示すように、背面カバー２８は揺動部材１８の後部上面に重なる庇部２８ｃを有しており、庇部２８ｃが模式的に線のみで示すビス４２で揺動部材１８に固定されている。
【００３５】
回転式レバー装置２７は、中心軸４６と外筒４７とを有している。中心軸４６はロッキングの硬さを調節するためのものであり、その一端部は外筒４７の外側にはみ出しており、ここに強弱調節レバー４８を設けている。他方、外筒４７はロッキング可能状態とロッキング不能状態とに切り換えるためのものであり、その一端部にロックレバー４９を設けている。
【００３６】
揺動部材１８の側板１８ｂには、回転式レバー装置２７が嵌まる逃がし溝５０を後ろ向きに開口させている。図５に示すように、回転式レバー装置２７の外筒４７には下向きに突出したロック体５１を設けており、ロックレバー４９に指を掛けて外筒４７を回転させると、ロック体５１は、殆どロッキングしないようにベース２の後端縁に当接するロック姿勢と、ベース２の後端縁に当たらずにロッキングが許容されるフリー姿勢とに切り換わる。
【００３７】
なお、ロックレバー４９を３つの姿勢に切り換えできるようにして、背もたれ４が殆ど後傾しない完全なロック状態と、背もたれ４が最大後傾角度の半分程度回動する中間ロック状態と、背もたれ４が最大ストロークだけ回動するフリー状態とに切り換わるように設定することも可能であり、更に、４段階以上の切り換えも可能であり、これらの切り換えはロック体５１又はベース２（若しくは両方）に複数の段部を形成することで実現できる。
【００３８】
他方、図６（Ａ）に示すように、中心軸４６には、当該中心軸４６を回転させると軸方向に移動するスライダー５２が取り付けられており、スライダー５２に可動ゴム５３を取り付けて、スライダー５２を左右移動させると、可動ゴム５３が受け部材４５の段部４５ａを介してベース２で支持されている強状態と、可動ゴム５３が受け部材４５で支持されない（圧縮されずに自由に回動する）弱状態とに切り換わようになっている。つまり、可動ゴム５３がロッキングに際して抵抗として作用したり作用しなかったりすることにより、ロッキングの硬さが２段階に切り換えられる。可動ゴム５３も弾性手段の一部を構成している。
【００３９】
(3).座部８と上カバー２５と揺動部材１８との関係
次に、座部８と上カバー２５と揺動部材１８との関係を説明する。図２を参照して既に説明したとおり、座部８は座体３と座受け体７とで構成されている。座板５には、着座によってベンディングする（沈む）ように多数のスリットが形成されている。例えば図２から理解できるように、座板５は正面視で上向き凹状に緩く湾曲しており、先端部は下向きに大きなカーブで曲がっており、後部は緩い曲率で上向きに反っている。他方、座受け体７も基本的には正面視で上向き凹状に緩く湾曲しているが、強度確保のため縦横に延びる多数のリブを形成している。
【００４０】
本願発明との関係は薄いので詳細は省略するが、座板５は、ある程度の寸法だけ前後スライドするように座受け体７に装着されており、座受け体７の右側部に設けたレバー（図示せず）を引っ張るとスライド可能なフリー状態になり、レバーがばねによって戻るとスライド不能なロック状態になる。図１２において、座受け体７の左右両側部に２対ずつのガイド爪５４が上向きに突出しているが、これら４個のガイド爪５４が座板５に形成した長溝に上向き抜け不能に嵌まることにより、座体３は前後スライド可能に保持される。
【００４１】
図５及び図８（Ｂ）を参照して触れたように、座受け体７のうち後ろ寄り部位の下面には、座受け体７と揺動部材１８とを連結するリア連結部の一例として、側面視で前向き鉤状の左右一対のリア係合爪２１が一体に設けられている。リア係合爪２１の左右外側にはサイド突壁５５が下向き突設されており、このサイド突壁５５がストッパーになって、リア係合ピン２０は抜け不能に保持されている。従って、リア係合ピン２０にはスナップリングのような抜け止め手段を講じる必要はないのであり、その結果、加工コストと組み立てコストとを低減できる。
【００４２】
例えば図１（Ｂ）から理解できるように、座受け体７における左右のサイド突壁５５は、揺動部材１８におけるサポートアーム１８ａの先端部を左右外側からカバーしている。また、図５及び図８（Ｂ）に示すように、左右のサイド突壁５５にはフロント突壁５６が一体に連続している。従って、左右のリア係合爪２１はサイド突壁５５とフロント突壁５６とで三方から囲われている。このため、人が指先を座受け体７の下方に差し込んでもリア係合ピン２０やリア係合爪２１に触れることはなく、安全性が確保されている。
【００４３】
ロッキングすると、リア係合ピン２０がリア係合爪２１によって後ろに引っ張られるが、ロッキングの戻り時にリア係合ピン２０で座受け体７を前に押さねばならない。そこで、例えば図１１〜１３に示すように、座受け体７に、リア係合ピン２０を前後相対動不能に保持するためのストッパー５７を装着している。
【００４４】
このストッパーは、側面視で略Ｔ形の形態を成しており、下端には上向きに鉤状の係止片５７ａが前向きに突設されている。係止片５７ａは本体部よりも左右巾が大きくなっており、かつ、左右外側部には、指先等を引っ掛けできるようにするため、前向きに開口した凹み５７ｂを形成している。また、係止片５７ａの先端面は側面視で鉛直線に対してやや前傾姿勢に傾斜している。
【００４５】
図１２及び図１３に示すように、座受け体７には、ストッパー５７を上方から差し込み装着する収納穴６０が形成されている。収納穴６０は、ストッパー５７の平面視形態に合わせて平面視略Ｌ形になっており、かつ、ストッパー５７の上部を受けて落下不能に保持する支持部６１が形成されている。そして、図１１に明示するように、座受け体７におけるフロント突壁５６の左右両側部には、ストッパー５７の係止片５７ａが下方から引っ掛かり係合するストッパー受け部６２を下向きに突設している。
【００４６】
ストッパー５７を収納穴６０に差し込むと、係止片５７ａはいったん弾性変形し、差し込み切ると係止片５７ａは元の状態に戻ってストッパー受け部６２に下方から引っ掛かり係合する。これによってストッパー５７は抜け不能に保持される。そして、ストッパー５７はリア係合ピン２０の前側に位置しているため、ロッキングの戻りによってリア係合ピン２０が前進すると、リア係合ピン２０によってストッパー５７が押されることで座受け体７は前進動する。すなわち、リア係合ピン２０と座受け体７とは前後相対動不能に保持される。
【００４７】
ストッパー５７は係止片５７ａによって座受け体７に係合しているため、リア係合ピン２０の規制機能が阻害されることはない。また、座板５を取り外さないとストッパー５７も取り外すことはできないため、例えば着座した人が係止片５７ａに指先を当てるといった行為をしても、ストッパー５７が抜け出ることはない。また、ストッパー５７は、座板５を取り外してから係止片５７ａを後ろに押し曲げてストッパー受け部６２との係合を解除することにより、簡単に抜き外すことができる。従って、例えばリア係合ピン２０の交換といったことも簡単に行える。
【００４８】
図５及び図１０（Ａ）を参照して触れたとおり、リア係合ピン２０は合成樹脂製の上カバー２５で支持されている。次に、この上カバー２５を説明する。例えば図１０（Ａ）に示すように、上カバー２５には、リア係合ピン２０を受ける左右一対のピン受け部６４が形成されている。ピン受け部６４は、リア係合ピン２０を広い面積で受けるように（面接触するように）上向き凹状に凹んでいる。また、ピン受け部６４の左右内側は凹所６５になっているが、この凹所６５はリア係合爪２１を逃がすためのものである。
【００４９】
上カバー２５には、ピン受け部６４を左右から囲う上向き側壁６６と、左右上向き側壁６６の前端に一体に連続した上向き前壁６７と、左右の上向き側壁６６の後端に一体に連続した上向き後ろ壁６８とが突設されている。図７に示すように、上カバー２５の上向き前壁６７の前側に座受け体７のフロント突壁５６が近接した状態で配置されている。換言すると、上向き前壁６７とフロント突壁５６との間には、例えば５ｍｍ以下のように人が指を挿入できない僅かの隙間しか空いていない。
【００５０】
このため、人が指先をリア係合ピン２０の箇所に前から差し込もうとしても、後ろ連結部７のフロント突壁５６と上カバー２５の前壁５７でガードされて触れることはできない。上向き前壁６７の前面とフロント突壁５６の後面とは側面視で後ろ向き凸状に湾曲しており、このため、座受け体７が上昇しつつ後退することが許容されていると共に、座受け体７が動いても前壁６７の前面とフロント突壁５６との間隔が広がることはない。
【００５１】
また、人がリア係合ピン２０に向けて横から指を当てようとすることが考えられるが、この点は、座受け体７のサイド突壁５５と上カバー２５の上向き側壁６６とでガードされている。上カバー２５のサイド突壁５５と上カバー２５の上向き側壁６６との間隔は５ｍｍ以下に設定されており、かつ、座受け体７が動いてもサイド突壁５５で上向き側壁６６を横からカバーした状態は確保されている。座受け体７が下降し切った状態では、図１（Ｂ）から理解できるように、座受け体７のフロント突壁５６と上カバー２５との間には、人の指を当てても余裕がある間隔（例えば２０ｍｍ以上）が空いている。従って、座受け体７のフロント突壁５６と上カバー２５とで指を挟むことはない。
【００５２】
また、図７から理解できるように、座受け体７におけるフロント突壁５６の下面と上カバー２５の上面との間にも、人の指を当てても余裕がある間隔が空いている。従って、フロント突壁５６の下面と上カバー２５の上面で指を挟むこともない。
【００５３】
更に、例えば図１０に示すように、上カバー２５における上向き後ろ壁６８の内端には、上向き前壁６７に向けて突出した上向き内壁６９を設けている。従って、人がリア係合ピン２０やリア係合爪２１に後ろから指先を当てようとしても、上向き後ろ壁６８と上向き内壁６９とでガードされて当てることはできず、リア係合ピン２０と上カバー２５とで指を挟むことはない。
【００５４】
また、図７と図１０とを総合すると理解できるように、上カバー２５における上向き後ろ壁６８及び上向き内壁６９と座受け体７との間には、座受け体７が下降し切った状態で、人が指を挿入しても余裕がある大きさ（上下間隔）の空間が空いている。従って、上カバー２５の上向き後ろ壁６８又は上向き内壁６９と座受け体７とで指を挟むことはない。
【００５５】
このように、下向きの突壁５５，５６や上向き壁６６〜６９の存在により、リア係合ピン２０及びリア係合爪２０とその周辺箇所で人が指を挟むことを防止して、安全性を確保できる。
【００５６】
上カバー２５は左右の側板２５ａを有しているが、図５から理解できるように、上カバー２５の左右側縁と下カバー２６の左右側縁とは重なるように設定されている。換言すると、上カバー２５の左右側面と下カバー２６の左右側面とが略同一面を成すように設定されている。そこで、上カバー２５における左右側板２５ａの前端部と後端寄りとの２カ所の部位に、薄肉状の下向き位置決め片７０を設けて、この下向き位置決め片７０を、下カバー２６における側板２６ａの上端面に形成した位置決め溝（図示せず）に嵌め込んでいる。
【００５７】
図１０（Ｂ）に示すように、上カバー２５には、左右一対の前係合爪７１と左右一対の後ろ係合爪７２とを下向きに突設している。前係合爪７１は側面視で後ろ向き鉤形になっており、後ろ係合爪７２は側面視で前向き鉤形になっている。
【００５８】
他方、ベース２には左右一対の内向きフランジ２ｂが形成されており、上カバー２５の前係合爪７１は、ベース２における内向きフランジ２ｂの前端縁に引っ掛かるようになっている。また、ベース２に設けた第１インナーブラケット３１には左右一対の起立片３１ａを曲げ形成し、この起立片３１ａの上水平部で上カバー２５を支持すると共に、上カバー２５の後ろ係合爪７２を起立片３３ａの後端縁に係合させている。
【００５９】
上カバー２５には後ろ向きに開口した平面視Ｕ形の溝７３が形成されているが、これは、脚支柱１のプッシュバルブを押圧操作するロッド７４（図７参照）との干渉を回避するためのものである。ロッド７４は、例えば図２や図３に示す昇降操作レバー７５で操作される。すなわち、昇降操作レバー７５を上向きに起こすと脚支柱１のロックが解除される。
【００６０】
(4).フロントリンク２３とベース２との関係
次に、フロントリンク２３とベース２との連結構造を説明する。フロントリンク２３は合成樹脂の成形品であり、多数の板状リブの組み合わせにより、大雑把には厚板又はブロックのような外観を呈している。そして、例えば図１７（Ｂ）に示すように、フロントリンク２３の下端部には、ベース２の内部において第２軸２２に嵌まる下インナー雌形嵌合部７８と、ベース２の外側において第２軸２２に嵌まる下サイド雌形嵌合部７９とを設けている。
【００６１】
下インナー雌形嵌合部７８と下サイド雌形嵌合部７９との間には、ベース２の側板２ａに当たらないように切り開き溝８０が形成されている。左右のサイド軸受け溝部７９は（図１７参照）を有していて袋状になっており、この外壁７９ａによって第２軸２２は左右抜け不能に保持されている。下雌形嵌合部として、下インナー雌形嵌合部７８のみ又は下サイド雌形嵌合部７９のみを採用することも可能である。
【００６２】
両下雌形嵌合部７８，７９は第２軸２２に嵌脱するように断面Ｕ形になっており、下インナー軸受け溝部７８に左右一対の軸受けブッシュ８１を装着している。軸受けブッシュ８１は摩擦係数が小さくて耐磨耗性が高い樹脂で製造されており、図１４（Ａ）及び図１７に明瞭に示すように、その開口縁に係合爪８２を形成し、この係合爪８２を、下インナー軸受け溝部７８に形成した係合穴８３に弾性に抗して嵌め込んでいる。従って、フロントリンク２３の下端部において軸受けとして機能しているのは左右の軸受けブッシュ８１であり、他の部位は第２軸２２とは接触していない。下インナー軸受け溝部７８は、左右に長く延びているため高い剛性を有している。
【００６３】
軸受けブッシュ８１は側面視Ｕ形であるため、第２軸２２には上方からの嵌め込みによってワンタッチで装着できる（後傾姿勢で嵌め込むことも可能である。）。そして、図１４に示すように、ベース２の前端部は側断面視で前向き凸状に緩くカーブした前壁２ｃになっている一方、フロントリンク２３のうち下インナー軸受け溝部７８の裏側には、抜け止め手段の一例として、ベース２の前壁２ｃに近接した規制リブ８４が複数枚形成されており、この規制リブ８４により、フロントリンク２３は前傾姿勢（使用姿勢）で第２軸２２から抜け出ることが阻止されている。
【００６４】
また、座受け体７を手で掴んで椅子を持ち上げるといったことも想定され、その場合にフロントリンク２３が第２軸２２から抜け出るにはフロントリンク２３は略鉛直姿勢にならねばならないが、座受け体７の後退限度は決まっているため、フロントリンク２３が鉛直姿勢に近い姿勢まで回動することはなく、このため、フロントリンク２３が第２軸２２から抜け出ることはない。
【００６５】
例えば図１４に明示するように、フロントリンク２３には、上雌形嵌合部２４に近い半分程度と第２軸２２に近い半分程度とに仕切る中間底板９３が形成されており、中間底板９３を挟んで上雌形嵌合部２４に近い上半分は、使用状態で略上向きに開口した上空所Ｓ３が空き、中間底板９３を挟んで第２軸２２に近い下半部は、中間底板９３と背面板９６と雌形嵌合部７８，７９とで囲われて下向き開口（鉛直姿勢にすると前向き開口）の下空所Ｓ４が空いている。
【００６６】
そして、ベース２の前板２ｃが下空所Ｓ４に入り込んでいると共に、規制リブ８４は下空所Ｓ４に配置されている。そして、フロントリンク２３の中間底板９３とベース２の前板２ｃとの間には下空所Ｓ４の一部である空間が存在しているが、この空間は人が指を挿入しても余裕がある大きさに設定しているため、フロントリンク２３の中間底板９３（下空所Ｓ４の前内面）とベース２の前板２ｃとで指を挟むことはない。更に、ベース２における前板２ｃの状態には前向きフランジ２ｄを形成しており、人が指先を前板２ｃを超えてベース２の内部に潜り込ませようとしても、これは前向きフランジ２ｄで阻止される。従って、フロントリンク２３とベース２とで指を挟むことはない。
【００６７】
(3).フロントリンク２３と座受け体７との関係
次に、フロントリンク２３と座受け体７との連結構造を説明する。例えば図１７（Ａ）に示すように、座受け体７の前部には、前連結部の一例として、左右横長で下向きに開口した上雌形嵌合部２４を下向きに突設している。他方、フロントリンク２３の上端部には、上連結部の一例として、座受け体７の上雌形嵌合部２４に嵌入するボス部８６を一体に設けている。
【００６８】
上雌形嵌合部２４はその左右両側部が断面Ｕ形の軸受け部８７になっており、左右軸受け部８７の間は上下に貫通している。そして、上雌形嵌合部２４のうちその前部２４ａには、左右軸受け部８７の間において左右方向に延びる前規制突起８８が溝内に突出するように形成されている。一方、上雌形嵌合部２４のうちその後部２４ｂには、その左右中間部において溝の内部に向いた側面視鉤形の係合爪８９と、係合爪８９と左右軸受け部８７と間に位置して溝内に向いた左右一対の後ろ規制突起９０とが形成されている。これら前後の規制突起８８，９０により、上雌形嵌合部２４の抜け止め手段が構成されている。なお、前後の規制突起８８，９０はいずれか一方のみでも足りる。
【００６９】
他方、図１５に示すように、フロントリンク２３のボス部８６は基本的には角柱に近い形態を成しており、その左右両側部には、座受け体７の左右軸受け部８７と面接触する円弧状部９１が形成されている。ボス部８６は左右側板２３ａで支持された両端支持の状態になっており、フロントリンク２３を鉛直姿勢にした状態でボス部８６の手前に位置する部位には、前カバー部９２がボス部８６とある程度の間隔を空けて形成されている。
【００７０】
前カバー部９２及び中間底板９３とボス部８６との間には上記した上空間Ｓ３が空いており、このため、ボス部８６を上雌形嵌合部２４に嵌入させることと、フロントリンク２３がボス部８６を中心にして回動することとが許容されている。フロントリンク２３の左右側板２３ａは上雌形嵌合部２４の左右外側に位置しており、このためフロントリンク２３は左右動不能に保持されている。また、ボス部８６には、左右中間部を挟んで一対の補強リブ９４が一体に繋がっている。補強リブ９４は、前カバー部９２と中間底板９３とに繋がっている。
【００７１】
既述のとおり、ボス部８６は基本的には角柱状の形態を成しているが、図１６から容易に理解できるように、左右の軸受け部８７を除いた部位は、フロントリンク２３を鉛直姿勢にした状態では側面視で上下長い断面略長方形になっており、左右横幅寸法Ｗは、上雌形嵌合部２４における前後規制突起８８，９０の間の間隔寸法Ｅと略同じ程度に設定して、上下長さ寸法Ｌは、上雌形嵌合部２４における前後規制突起８８，８９の間の間隔寸法Ｅよりも長い寸法に設定している。
【００７２】
このため、フロントリンク２３を座受け体７に対して側面視で略直交した姿勢にすると、ボス部８６を上雌形嵌合部２４に簡単に挿入することができ、かつ、大きく前傾させた使用状態では、座受け体７を上向きに起こそうとしても上雌形嵌合部２４から抜けることはない。従って、本実施形態では、ボス部８６のうち上雌形嵌合部２４の前後規制突起８８、８９に対応した部分が、非円形（断面略長方形）の規制部になっている。上雌形嵌合部２４へのボス部８６の挿入は、係合爪８９を弾性変形させて行われる。
【００７３】
従って、椅子の組み立て前に予めフロントリンク２３を座受け体７に取り付けている場合、フロントリンク２３が座受け体７からブラブラした状態であっても、フロントリンク２３が抜け落ちることはない。なお、図１５に示すように、ボス部８６には、その軸心と直交した方向に開口した多数の溝穴９５が空いているが、これは、肉厚をできるだけ均等化して成形後のヒケを防止するための措置である。
【００７４】
図１４に示すように、フロントリンク２３における前カバー部９２の先端と上雌形嵌合部２４の前部下端との間に隙間Ｓ２が存在しているが、この隙間Ｓ２は、フロントリンク２３が回動しても僅か（５ｍｍ以下）しかない。このため、この隙間Ｓ２の箇所で人が指を挟むことはない。
【００７５】
また、フロントリンク２３の先端部と上雌形嵌合部２４の後面との箇所に指を差し込んでも、補強リブ９４でガードされると共に、フロントリンク２３の中間底板９３と上雌形嵌合部２４との間の上空間Ｓ３は２０ｍｍ以上の間隔があるため、中間底板９３と上雌形嵌合部２４とで指を挟むことはない。図１４に示すように、フロントリンク２３における前下部部９２の内面には、上雌形嵌合部２４の後部２４ｂの下端に当接又は密接するガード板９８を設けている。従って、人が指先を上空間Ｓ３に強引に差しでも、指先はガード板９８に当たってそれ以上は挿入できない。従って、フロントリンク２３の前カバー部９２と上雌形嵌合部２４との間で指を挟むこともない。
【００７６】
図１や図１６に明瞭に示すように、上雌形嵌合部２４は座受け体７の下面から下向きに大きく突出しており、このようにしてフロントリンク２３と上雌形嵌合部２４との連結部を座受け体７の下面から大きく突出させることにより、座受け体７とベース２（或いは上カバー２５）との間に、人の指が何本も余裕をもって入り得る大きな空間Ｓ１を形成している。
【００７７】
また、図１６に明瞭に示すように、上雌形嵌合部２４の背面と座受け体７の下面とはかなり大きな曲りの湾曲面（カーブ）を以て連続しており、このため、人が上雌形嵌合部２４の付け根部に指を当てても怪我することはない。敢えて述べるまでもないが、このように軸受け部を大きく突出させたり付け根部に大きな曲がりの湾曲面を形成することは、他の部材にも適用できある。
【００７８】
(5).まとめ
以上の構成において、椅子の組み立ては概ね次の手順で行われる。すなわち、
1)脚支柱にベース２を固定する、
2)第２軸２２や上カバー２５をベース２に取り付け、第１軸１９で揺動部材１８をベース２に連結し、制御ユニット２９を後ろから嵌め込む、
3)バックフレーム１０を、まずその前向き開口溝３８を第３軸３７に後ろから挿入し次いで下向き開口溝３９を第３軸３７に嵌め込む、という手順で取り付ける、
4)バックフレーム１０を後傾させることで固定式ゴム４４を圧縮させ、その状態でリア係合ピン２０を揺動部材１８のサポートアーム１８ａに挿入し、それからバックフレーム１０を戻してリア係合ピン２０を上カバー２５のピン受け部６４に当接させる（この状態では固定式ゴム４４は少し圧縮しているため、リア係合ピン２０はピン受け部６４に強く当接し、ロッキングに際してのプリテンションが効いている。）、
5)フロントリンク２３を略鉛直姿勢にすることで下雌形嵌合部７８，７９を第２軸２２に嵌め込み、それからリア係合爪２１をリア係合ピン２０に後ろから引っ掛け係合させ、次いで、座受け体７にフロントリンク２３する、
6)ストッパー５７を装着し、次いで、座受け体７に座体３を取り付ける、
という手順で組み立てられる。背もたれ４の取り付けは座体３の取り付け後に行ってもよいし、前に行ってもよい。フロントリンク２３は、予め座受け体７に連結しておいてもよい。
【００７９】
そして、座受け体７へのフロントリンク２３の取り付け、ベース２へのフロントリンク２３の取り付け、及び、リア係合ピン２０（揺動部材１８）への座受け体７の取り付けは、一々ピンの挿入作業を要することなく、フロントリンク２３や座受け体７を各軸１９，２２，３７の軸線と直交した方向に動かすことでワンタッチ的に行えるため、椅子の組み立て作業の能率を格段に向上できる。
【００８０】
そして、既述のとおり、動く部材の箇所に存在する空間（Ｓ１〜Ｓ４等）は、人指先を挿入しても余裕がある大きさであるか、又は、人が指先を挿入できない狭い間隔であるため、人が座受け体７の下面部に手を差し込んでも指を挟むことはなく、安全である。
【００８１】
本実施形態は様々の利点がある。まず、バックフレーム１０は、その前向き開口溝３８を第３軸３７に後ろから挿入してから下向き開口溝３９を第３軸３７に嵌め込む、という手順で取り付けられるため、バックフレーム１０の取り付け作業も簡単に行える。
【００８２】
(6).その他
本願発明は、上記の実施形態の他にも様々に具体化できる。例えば、フロントリンクはベースと座受け体とのうちいずれか一方に対してのみ嵌め込み方式として、他方はピンを挿通して連結するといったことも可能である。フロントリンクとベースとを繋ぐ下部連結部の構成としては、フロントリンクにボス部を形成してこれをベースに設けた下雌形嵌合部に嵌め込むことも可能であり、更に、フロントリンクと座受け体とを繋ぐ構成としては、フロントリンクに上雌形嵌合部を形成して座受け体にボス部を形成してもよい。雌形嵌合部及び雄形嵌合部を各種の構造に展開できることは勿論である。
【００８３】
フロントリンクとベースとの連結構造としてベースに雄形嵌合部を設ける場合、雄形嵌合部は必ずしも軸である必要はなく、樹脂成形品やダイキャスト品や板金加工品等からなるボス部を設けることも可能である。座部（座受け体）に軸を取付けて、これにフロントリンクの上雌形嵌合部を嵌め込むことも可能であり、この場合は、抜け止め手段としての規制リブは、フロントリンクに形成しても良いし座部に形成しても良いし、両方に形成しても良い。抜け止め手段としてボス部を非円形の規制部と成すにおいては、規制部の断面形状は楕円形や小判形を採用することも可能である。
【００８４】
上記の実施形態では、揺動部材とバックフレームとジョイント部と背支持装置が構成されているが、実施形態におけるバックフレームの前向きアーム部と揺動部材とが一体化された構成にしても良いし、或いは、背もたれのフレームや背支柱が一体成形されたバックフレームをそのまま背支持装置と成すことも可能である。
【００８５】
更に、座受け体とベースとをリアリンクで連結して、このリアリンクに背支持装置を連結しても良い。つまり、座受け体は何らかの中間部材を介して背支持装置に連結しても良いのである。
【００８６】
適用対象となる椅子は回転椅子に限定されるものではなく、会議用椅子のような非昇降式の椅子や、劇場用椅子のような固定式椅子にも適用可能である。座板に上雌形嵌合部やリア係合爪のような連結部を設けることも可能である。弾性手段としは、てコイルスプリングのようなばねを使用することも可能である。
【産業上の利用可能性】
【００８７】
本願発明は、椅子に具体化してその有用性が発揮される。従って産業上利用できる。
【符号の説明】
【００８８】
１  脚支柱（ガスシリンダ）
２  ベース
２ｃ  ベースの前壁
２ｄ  ベースの前向きフランジ
３  座体
４  背もたれ
７  座受け体
８  座部
１０  バックフレーム
１６  背支持装置の一部を構成する前向きアーム部
１７  背支持装置を構成するジョイント部
１８  背支持装置を構成する揺動部材
１９  背もたれの回動支点である第１軸
２０  リアピンの一例としてのリア係合ピン
２１  座受け体の一例としてのリア係合爪（リア連結部）
２２  下雄形嵌合部の一例としての第２軸
２３  フロントリンク
２４  座受け体の前連結部を構成する上雌形嵌合部
２５  ベースの上カバー
２６  ベースの下カバー
４５，５３  弾性手段の一例としてのゴム
７８  フロントリンクの下インナー雌形嵌合部
７９  フロントリンクの下サイド雌形嵌合部
８４  規制リブ
８６  フロントリンクのボス部
【図１】
0005601818.tif 000002
【図２】
0005601818.tif 000003
【図３】
0005601818.tif 000004
【図４】
0005601818.tif 000005
【図５】
0005601818.tif 000006
【図６】
0005601818.tif 000007
【図７】
0005601818.tif 000008
【図８】
0005601818.tif 000009
【図９】
0005601818.tif 000010
【図１０】
0005601818.tif 000011
【図１１】
0005601818.tif 000012
【図１２】
0005601818.tif 000013
【図１３】
0005601818.tif 000014
【図１４】
0005601818.tif 000015
【図１５】
0005601818.tif 000016
【図１６】
0005601818.tif 000017
【図１７】
0005601818.tif 000018